(57)【要約】【課題】フレキシブルディスプレイ装置を提供する。【解決手段】フレキシブルディスプレイパネルと、フレキシブルディスプレイパネルの第１面上に形成され、互いに離隔した複数の支持体と、フレキシブルディスプレイパネルの第１面上に形成され、複数の支持体の間に位置するアクチュエータと、を備え、アクチュエータは、電気応答型高分子層、電気応答型高分子層の上面及び下面にそれぞれ形成された第１電極層及び第２電極層を備え、第１電極層と第２電極層とに電圧が印加されれば、電気応答型高分子層の広さが変化するフレキシブルディスプレイ装置である。これにより、フレキシブルディスプレイ装置の柔軟性を調節して、携帯性及び使用の便宜性が向上する。【選択図】図４Ａ
2014016616.tif 000002
【特許請求の範囲】
【請求項１】
フレキシブルディスプレイパネルと、
前記フレキシブルディスプレイパネルの第１面上に形成され、互いに離隔した複数の支持体と、
前記フレキシブルディスプレイパネルの前記第１面上に形成され、前記複数の支持体の間に位置するアクチュエータと、を備え、
前記アクチュエータは、
電気応答型高分子層、前記電気応答型高分子層の上面及び下面にそれぞれ形成された第１電極層及び第２電極層を備え、
前記第１電極層と前記第２電極層とに電圧が印加されれば、前記電気応答型高分子層の広さが変化することを特徴とするフレキシブルディスプレイ装置。
【請求項２】
前記第１電極層及び前記第２電極層への前記電圧の印加時、前記電気応答型高分子層の広さが増大して、前記電気応答型高分子層は、前記支持体の側面と接することを特徴とする請求項１に記載のフレキシブルディスプレイ装置。
【請求項３】
前記複数の支持体のうち、隣接した二つの支持体間の距離は、前記電圧の印加時、前記電気応答型高分子層が有する最大幅より狭いことを特徴とする請求項２に記載のフレキシブルディスプレイ装置。
【請求項４】
前記第１電極層及び前記第２電極層のうち少なくともいずれか一つは、柔軟性電極として形成されたことを特徴とする請求項１に記載のフレキシブルディスプレイ装置。
【請求項５】
前記複数の支持体と前記第１電極層は、接着層により、前記フレキシブルディスプレイパネルの前記第１面に付着したことを特徴とする請求項１に記載のフレキシブルディスプレイ装置。
【請求項６】
前記電気応答型高分子層の垂直断面は、台形形状であるが、前記第１電極層から前記第２電極層へ行くほど、幅が狭くなることを特徴とする請求項５に記載のフレキシブルディスプレイ装置。
【請求項７】
前記第２電極層は、柔軟性電極として形成されたことを特徴とする請求項６に記載のフレキシブルディスプレイ装置。
【請求項８】
前記電気応答型高分子層は、格子パターンを形成し、前記支持体は、前記格子パターン内に位置して、島状をなすことを特徴とする請求項１に記載のフレキシブルディスプレイ装置。
【請求項９】
前記複数の支持体の下面、及び前記アクチュエータの下面に形成された第２電極層に付着した支持フィルムをさらに備えることを特徴とする請求項１に記載のフレキシブルディスプレイ装置。
【請求項１０】
前記支持体の垂直断面は、前記支持体の下面を底辺とする台形形状であることを特徴とする請求項９に記載のフレキシブルディスプレイ装置。
【請求項１１】
前記第１電極層は、柔軟性電極として形成されたことを特徴とする請求項１０に記載のフレキシブルディスプレイ装置。
【請求項１２】
前記複数の支持体の上面は、接着層により、前記フレキシブルディスプレイパネルの前記第１面に付着したことを特徴とする請求項１１に記載のフレキシブルディスプレイ装置。
【請求項１３】
前記複数の支持体は、互いに並んでいるストライプパターンを形成することを特徴とする請求項１に記載のフレキシブルディスプレイ装置。
【請求項１４】
前記第１電極層と前記第２電極層に、前記電圧を印加するためのスイッチをさらに備えることを特徴とする請求項１に記載のフレキシブルディスプレイ装置。
【請求項１５】
前記電気応答型高分子層は、誘電性の弾性重合体、強誘電体ポリマー及び液晶弾性重合体のうちいずれか一つで形成されたことを特徴とする請求項１に記載のフレキシブルディスプレイ装置。
【請求項１６】
前記第１面は、画像が具現される面の反対面であることを特徴とする請求項１に記載のフレキシブルディスプレイ装置。
【請求項１７】
前記ディスプレイパネルは、有機発光ディスプレイパネルであることを特徴とする請求項１に記載のフレキシブルディスプレイ装置。
【発明の詳細な説明】
【技術分野】
【０００１】
本発明は、フレキシブルディスプレイ装置に係り、特に柔軟性が調節されるフレキシブルディスプレイ装置に関する。
【背景技術】
【０００２】
近年、ディスプレイ関連の技術の発達と共に、折ったり、ロール状に巻いたりすることができるフレキシブルディスプレイ装置の研究及び開発が行われている。
【０００３】
一方、有機発光ディスプレイパネルは、視野角、コントラスト、応答速度、消費電力などの側面で特性が優秀であるので、ＭＰ３プレーヤーや携帯電話のような個人用携帯機器からテレビジョンに至るまで、応用範囲が拡大している。また、有機発光ディスプレイパネルは、自発光特性を有し、別途の光源を要しないため、厚さと重さとを減らすことができる。
【０００４】
かかる有機発光ディスプレイパネルは、プラスチック基板を利用してフレキシブルに具現でき、ディスプレイパネルの厚さを薄くすることによって、柔軟性はさらに向上する。ただし、ディスプレイパネルの柔軟性が向上すれば、携帯性及び巻き取り可能なディスプレイパネルの具現には有利であるが、それを使用する時、底に置いて使用するか、または両手で持って使用しなければならず、不便さが発生する。
【発明の概要】
【発明が解決しようとする課題】
【０００５】
本発明の目的は、柔軟性が調節されるフレキシブルディスプレイ装置を提供することにある。
【課題を解決するための手段】
【０００６】
前記目的を達成するための本発明の一実施形態によるフレキシブルディスプレイ装置は、フレキシブルディスプレイパネルと、フレキシブルディスプレイパネルの第１面上に形成され、互いに離隔した複数の支持体と、フレキシブルディスプレイパネルの第１面上に形成され、複数の支持体の間に位置するアクチュエータとを備え、アクチュエータは、電気応答型高分子層、電気応答型高分子層の上面及び下面にそれぞれ形成された第１電極層及び第２電極層を備え、第１電極層と第２電極層とに電圧が印加されれば、電気応答型高分子層の広さが変化する。
【０００７】
また、第１電極層及び第２電極層への電圧の印加時、電気応答型高分子層の広さが増大して、電気応答型高分子層は、支持体の側面と接する。
【０００８】
ここで、複数の支持体のうち、隣接した二つの支持体間の距離は、電圧の印加時に電気応答型高分子層が有する最大幅より狭い。
【０００９】
また、第１電極層及び第２電極層のうち少なくともいずれか一つは、柔軟性電極として形成される。
【００１０】
また、複数の支持体と第１電極層は、接着層により、フレキシブルディスプレイパネルの第１面に付着する。
【００１１】
また、電気応答型高分子層の垂直断面は、台形形状であるが、第１電極層から第２電極層へ行くほど、幅が狭くなる。
【００１２】
また、第２電極層は、柔軟性電極として形成される。
【００１３】
また、電気応答型高分子層は、格子パターンを形成し、支持体は、格子パターン内に位置して、島状をなす。
【００１４】
また、複数の支持体の下面、及びアクチュエータの下面に形成された第２電極層に付着した支持フィルムをさらに備える。
【００１５】
ここで、支持体の垂直断面は、支持体の下面を底辺とする台形形状である。
【００１６】
また、第１電極層は、柔軟性電極として形成される。
【００１７】
また、複数の支持体の上面は、接着層により、フレキシブルディスプレイパネルの第１面に付着する。
【００１８】
また、複数の支持体は、互いに並んでいるストライプパターンを形成する。
【００１９】
また、第１電極層と第２電極層とに電圧を印加するためのスイッチをさらに備える。
【００２０】
また、電気応答型高分子層は、誘電性の弾性重合体、強誘電体ポリマー及び液晶弾性重合体のうちいずれか一つにより形成される。
【００２１】
また、第１面は、画像が具現される面の反対面である。
【００２２】
また、ディスプレイパネルは、有機発光ディスプレイパネルである。
【発明の効果】
【００２３】
本発明によれば、フレキシブルディスプレイ装置の柔軟性を調節して、携帯性及び使用の便宜性が向上する。
【図面の簡単な説明】
【００２４】
【図１】本発明の一実施形態によるフレキシブルディスプレイ装置を概略的に示す斜視図である。
【図２】図１のフレキシブルディスプレイ装置のフレキシブルディスプレイパネルの断面を示す断面図である。
【図３】図１のフレキシブルディスプレイ装置の背面を示す平面図である。
【図４Ａ】図３のＡ−Ａ′断面を示す断面図である。
【図４Ｂ】図３のＡ−Ａ′断面を示す断面図である。
【図５】本発明の他の実施形態によるフレキシブルディスプレイ装置を示す図面である。
【図６】本発明のさらに他の実施形態によるフレキシブルディスプレイ装置を示す図面である。
【発明を実施するための形態】
【００２５】
以下、図面を参照して、本発明についてより詳細に説明する。
【００２６】
以下の図面において、各構成要素は、説明の便宜及び明確性のために誇張されたり、省略されたり、概略的に示し、各構成要素の大きさは、実際の大きさを全的に反映するものではない。また、各構成要素を説明するにあたって、“上（ｏｎ）”にまたは“下（ｕｎｄｅｒ）”に形成されるものと記載される場合において、上（ｏｎ）と下（ｕｎｄｅｒ）は、直接的に、または他の構成要素を介在して形成されるものを全て含み、上（ｏｎ）及び下（ｕｎｄｅｒ）についての基準は、図面に基づいて説明する。また、同じ構成要素については、たとえ他の図面に示されているとしても、同じ識別符号を使用する。
【００２７】
図１は、本発明の一実施形態によるフレキシブルディスプレイ装置を概略的に示す斜視図であり、図２は、図１のフレキシブルディスプレイ装置のフレキシブルディスプレイパネルの断面を示す断面図であり、図３は、図１のフレキシブルディスプレイ装置の背面を示す平面図であり、図４Ａ及び図４Ｂは、図３のＡ−Ａ′断面を示す断面図である。
【００２８】
図１ないし図４Ｂを参照すれば、本発明の一実施形態によるフレキシブルディスプレイ装置１０は、フレキシブルディスプレイパネル１００と、フレキシブルディスプレイパネル１００の第１面上に形成され、互いに離隔した複数の支持体２１０と、フレキシブルディスプレイパネル１００の第１面上に形成され、複数の支持体２１０の間に位置するアクチュエータ２２０とを備える。
【００２９】
まず、フレキシブルディスプレイパネル１００は、柔軟性を有するので、折ったり、巻いたりすることができ、保管及び携帯性に優れる。フレキシブルディスプレイパネル１００は、有機発光ディスプレイパネル、液晶ディスプレイパネルなどであるが、これらに限定されるものではない。一方、図２は、フレキシブルディスプレイパネル１００の一例として、有機発光ディスプレイパネルを示している。また、図２は、前面発光型の有機発光ディスプレイパネルを示しているが、これに限定されず、背面発光型の有機発光ディスプレイパネルであってもよい。
【００３０】
図２を参照すれば、有機発光ディスプレイパネルであるフレキシブルディスプレイパネル１００は、基板１０１上に形成された駆動ＴＦＴ(Thin Film Transistor)  Ｍ１及び有機発光素子(Organic Light Emitting Device: OLED)を備える。
【００３１】
基板１０１は、フレキシブルディスプレイパネル１００に柔軟性を付加するために、アクリル、ポリイミド、ポリカーボネート、ポリエステル、マイラーのようなプラスチック材で形成される。かかる基板１０１の上面には、不純物イオンが拡散することを防止し、水分や外気の浸透を防止し、表面を平坦化するためのバリヤー層及び／またはバッファ層のような絶縁層１０２が形成される。
【００３２】
絶縁層１０２上には、駆動ＴＦＴ  Ｍ１の活性層１０７が半導体材料により形成され、これを覆うように、ゲート絶縁膜１０３が位置する。活性層１０７としては、アモルファスシリコンまたはポリシリコンのような無機半導体や、有機半導体が使われる。
【００３３】
ゲート絶縁膜１０３上には、ゲート電極１０８が備えられ、これを覆うように、層間絶縁膜１０４が形成される。そして、層間絶縁膜１０４上には、ソース／ドレイン電極１０９が備えられ、これを覆うように、パッシベーション膜１０５及び画素定義膜１０６が順次に備えられる。
【００３４】
かかるゲート電極１０８及びソース／ドレイン電極１０９は、Ａｌ，Ｍｏ，Ａｕ，Ａｇ，Ｐｔ／Ｐｄ，Ｃｕなどの金属で形成されるが、必ずしもこれらに限定されるものではない。これらの金属が粉末状に含まれた樹脂ペーストを塗布してもよく、導電性高分子を使用してもよい。
【００３５】
そして、ゲート絶縁膜１０３、層間絶縁膜１０４、パッシベーション膜１０５及び画素定義膜１０６は、絶縁体として備えられるが、単層または複数層の構造で形成されており、有機物、無機物、または有無機複合物で形成される。
【００３６】
一方、スイッチングＴＦＴ及びストレージキャパシタは、図示していないが、前述した駆動ＴＦＴ  Ｍ１と同一の工程により形成される。ただし、前述した駆動ＴＦＴ  Ｍ１の積層構造は、必ずしもこれに限定されるものではなく、多様な構造のＴＦＴの全てが適用可能である。
【００３７】
ＯＬＥＤは、電流のフローによって、赤色、緑色及び青色の光を発光して、所定の画像情報を表示するものであって、駆動ＴＦＴ  Ｍ１のソース／ドレイン電極１０９のうち、いずれか一つの電極に連結された画素電極１１０と、全体の画素を覆うように備えられた対向電極１１２と、画素電極１１０と対向電極１１２との間に配置されて発光する有機発光膜１１１とから構成される。
【００３８】
かかるフレキシブルディスプレイパネル１００は、柔軟性を有し、かつ、フレキシブルディスプレイパネル１００の第１面には、図３に示したように、複数の支持体２１０とアクチュエータ２２０とが形成されることによって、フレキシブルディスプレイパネル１００の柔軟性が調節される。ここで、フレキシブルディスプレイパネル１００の第１面は、画像が具現される面の反対面を意味する。すなわち、図２のように、フレキシブルディスプレイパネル１００が前面発光型である場合は、第１面は基板１０１の下面を意味する。一方、図２とは異なり、フレキシブルディスプレイパネル１００が背面発光型である場合は、第１面は基板１０１と逆になる側の一面を意味する。以下では、フレキシブルディスプレイパネル１００が前面発光型であるとして説明する。
【００３９】
図４Ａは、図３のＡ−Ａ′断面を示す図面である。図３及び図４Ａを参照すれば、複数の支持体２１０は、接着層（図示せず）などにより、フレキシブルディスプレイパネル１００の第１面、すなわち、基板１０１の下面上に互いに離隔して付着することによって形成される。複数の支持体２１０は、機械的性質、耐熱性などに優れた熱可塑性樹脂物質で形成される。例えば、複数の支持体２１０は、ポリメチルメタクリレート（ＰＭＭＡ）、ポリカーボネート（ＰＣ）、ポリエチレンテレフタレート（ＰＥＴ）などで形成されるが、これらに限定されるものではない。
【００４０】
アクチュエータ２２０は、フレキシブルディスプレイパネル１００の第１面上に形成され、複数の支持体２１０の間に位置する。アクチュエータ２２０は、電気応答型高分子層２１２、電気応答型高分子層２１２の上面及び下面にそれぞれ形成された第１電極層２１４及び第２電極層２１６を備えて、キャパシタを形成する。
【００４１】
電気応答型高分子層２１２は、電圧の印加時に面積が変化する誘電性の弾性重合体、強誘電体ポリマー及び液晶弾性重合体のうちいずれか一つにより形成される。
【００４２】
第１電極層２１４及び第２電極層２１６は、電気応答型高分子層２１２の上面及び下面にそれぞれ形成され、電気応答型高分子層２１２に電圧を印加するために、外部回路（図示せず）と接続される。
【００４３】
また、第１電極層２１４及び第２電極層２１６のうち少なくともいずれか一つは、柔軟性電極として形成される。柔軟性電極は、ＩＴＯ(Indium Tin Oxide)のような導電性酸化物、金属粒子のような導電性粒子、導電性ポリマー、炭素ナノチューブなどを含むペーストを、電気応答型高分子層２１２に塗布した後で乾燥して形成する。ペーストの塗布は、スプレー法、スクリーンプリンティング法、インクジェット法、スピンコーティング法などにより行われる。
【００４４】
かかるアクチュエータ２２０は、電圧の印加時に広さが変化して、フレキシブルディスプレイ装置１０の柔軟性を調節可能にする。
【００４５】
図４Ａは、アクチュエータ２２０に電圧が印加されていない場合を示しており、図４Ｂは、アクチュエータ２２０に電圧が印加された場合を示している。
【００４６】
まず、図４Ａに示したように、電圧が印加されていない状態で、電気応答型高分子層２１２は、支持体２１０と離隔した状態を維持する。
【００４７】
例えば、電気応答型高分子層２１２の垂直断面は、台形形状であるが、第１電極層２１４から第２電極層２１６へ行くほど、幅が狭くなる。これによって、アクチュエータ２２０と支持体２１０との間で、フレキシブルディスプレイパネル１００が回動する間隔が生じ、その結果、フレキシブルディスプレイ装置１０は、柔軟性を維持する。
【００４８】
一方、第１電極層２１４は、接着層（図示せず）などにより、フレキシブルディスプレイパネル１００の第１面上に付着し、この時、第１電極層２１４は、柔軟性電極として形成されなくてもよい。すなわち、第１電極層２１４は、電気応答型高分子層２１２に電圧が印加されて、面積が増大する時、電気応答型高分子層２１２が有する最大面積と類似した面積をもって、フレキシブルディスプレイパネル１００の第１面上に付着しているので、第１電極層２１４は、電気応答型高分子層２１２の面積変化に順応せず、一定の面積を維持することもできる。
【００４９】
一方、第２電極層２１６は、柔軟性電極として形成される。したがって、電気応答型高分子層２１２の面積が変化する時、第２電極層２１６の面積も共に変化することによって、第２電極層２１６と電気応答型高分子層２１２との間の脱落を防止することができる。
【００５０】
図４Ｂは、第１電極層２１４と第２電極層２１６とに電圧が印加される時、電気応答型高分子層２１２の広さが増大した状態を示している。
【００５１】
第１電極層２１４と第２電極層２１６との間に電圧が印加されれば、第１電極層２１４と第２電極層２１６とに誘発される電荷によって、静電気力が発生する。発生した静電気力により、電気応答型高分子層２１２は、厚さ方向に収縮しつつ、面方向に広さが増大する。この時、柔軟性電極として形成された第２電極層２１６も、電気応答型高分子層２１２と共に、厚さ方向に収縮し、面方向に延びる。
【００５２】
一方、支持体２１０は、垂直状の側壁を有して、フレキシブルディスプレイパネル１００の第１面に付着しているところ、支持体２１０は、アクチュエータ２２０の広さの増大に対するバリヤーの役割を行う。
【００５３】
図３は、一例として、アクチュエータ２２０が格子パターンを形成し、複数の支持体２１０が格子パターン内に位置して、島状をなす例を示している。この時、複数の支持体２１０は、フレキシブルディスプレイパネル１００の曲率半径に影響を与えない多様な大きさと間隔に配置される。ただし、アクチュエータ２２０と複数の支持体２１０の配置は、これに限定されない。
【００５４】
図３を参照すれば、複数の支持体２１０は、アクチュエータ２２０の全ての外側に形成されることによって、アクチュエータ２２０の広さ増大領域を制限する。すなわち、電気応答型高分子層２１２に電圧が印加されて、電気応答型高分子層２１２の面積が増大すれば、図４Ｂのように、電気応答型高分子層２１２は、支持体２１０の側壁と接し、その結果、フレキシブルディスプレイパネル１００の柔軟性が低下する。したがって、フレキシブルディスプレイ装置１０の使用の便宜性が向上する。
【００５５】
また、複数の支持体２１０のうち、隣接した二つの支持体２１０間の距離は、電圧の印加時に電気応答型高分子層２１２が有する最大幅より狭いことが望ましい。このように、二つの支持体２１０間の距離が、電圧の印加時に電気応答型高分子層２１２が有する最大幅より狭い場合は、電圧の印加時に電気応答型高分子層２１２が支持体２１０の側壁を押す力がさらに増加して、さらに効果的にフレキシブルディスプレイパネル１００の柔軟性を低下させることができる。
【００５６】
一方、第１電極層２１４と第２電極層２１６とに印加された電圧が除去されれば、電気応答型高分子層２１２は、再び本来の形態に戻る。
【００５７】
また、フレキシブルディスプレイ装置１０は、第１電極層２１４と第２電極層２１６とに電圧を印加するためのスイッチ（図示せず）をさらに備える。ユーザがフレキシブルディスプレイ装置１０を使用しようとする時点で、スイッチ（図示せず）を‘ＯＮ’にして、フレキシブルディスプレイ装置１０の柔軟性を低下させることによって、フレキシブルディスプレイ装置１０を便利に使用できる。
【００５８】
また、第１電極層２１４及び第２電極層２１６への電圧の印加は、制御部（図示せず）により自動的に調節される。例えば、フレキシブルディスプレイ装置１０を利用するために、両手で広げる時、感知部（図示せず）などは、フレキシブルディスプレイパネル１００の平坦度などを感知し、その結果によって、制御部（図示せず）は、第１電極層２１４と第２電極層２１６とに電圧を印加する。
【００５９】
したがって、本発明によれば、フレキシブルディスプレイ装置１０の柔軟性を任意に制御及び変更できるので、フレキシブルディスプレイ装置１０の使用の便宜性が向上する。
【００６０】
図５は、本発明の他の実施形態によるフレキシブルディスプレイ装置を示す図面であって、図４Ａ及び図４Ｂのような断面図を示している。
【００６１】
図５を参照すれば、本発明の他の実施形態によるフレキシブルディスプレイ装置２０は、フレキシブルディスプレイパネル１００、フレキシブルディスプレイパネル１００の第１面上に形成された支持体２１０及びアクチュエータ２２０を備える。また、アクチュエータ２２０は、電気応答型高分子層２１２、電気応答型高分子層２１２の上面及び下面にそれぞれ形成された第１電極層２１４及び第２電極層２１６を備える。
【００６２】
フレキシブルディスプレイパネル１００、支持体２１０及びアクチュエータ２２０は、図１ないし図４Ｂで示して説明したところと同一であるので、詳細な説明は省略し、以下では、相違点のみを説明する。
【００６３】
図５を参照すれば、フレキシブルディスプレイ装置２０は、複数の支持体２１０の下面、及びアクチュエータ２２０の下面と付着した支持フィルム２３０をさらに備える。
【００６４】
支持フィルム２３０は、ポリイミドのような高分子材質で形成される。支持フィルム２３０は、支持体２１０の下面と、アクチュエータ２２０に含まれた第２電極層２１６の下面とに、接着層（図示せず）などにより付着して、外部の衝撃やスクラッチなどから、支持体２１０とアクチュエータ２２０とを保護することができる。
【００６５】
また、支持体２１０とアクチュエータ２２０とを、支持フィルム２３０上にあらかじめ形成し、支持体２１０とアクチュエータ２２０とが形成された支持フィルム２３０を、フレキシブルディスプレイパネル１００の第１面に付着することによって、フレキシブルディスプレイ装置２０をさらに容易に製造することができる。
【００６６】
一方、図５は、第１電極層２１４及び第２電極層２１６への電圧の印加による電気応答型高分子層２１２の形状変化を示しているところ、図４で示して説明したように、第１電極層２１４及び第２電極層２１６に電圧が印加されていない状態では、電気応答型高分子層２１２が支持体２１０と離隔して形成される。
【００６７】
例えば、支持体２１０の垂直断面は、支持体２１０の下面を底辺とする台形形状である。すなわち、支持体２１０は、下面から上面へ行くほど、断面幅が狭くなる形状を有する一方、電気応答型高分子層２１２は、垂直の側面を有する。
【００６８】
このように、支持体２１０と電気応答型高分子層２１２とが互いに離隔して位置することによって、フレキシブルディスプレイパネル１００は上下に回動でき、その結果、フレキシブルディスプレイ装置１０は、柔軟性を維持する。
【００６９】
一方、支持体２１０の上面は、接着層２４０により、フレキシブルディスプレイパネル１００の第１面に付着する。一方、アクチュエータ２２０は、フレキシブルディスプレイパネル１００と接着していない。すなわち、第１電極層２１４は、柔軟性電極として形成され、フレキシブルディスプレイパネル１００の第１面に、接着層２４０により接着していない。したがって、電圧の印加による電気応答型高分子層２１２の面積の変化時、第１電極層２１４の面積も共に変化して、第１電極層２１４と電気応答型高分子層２１２との間の脱落を防止することができる。
【００７０】
一方、第２電極層２１６は、電気応答型高分子層２１２に電圧が印加されて、面積が増大する時、電気応答型高分子層２１２が有する最大面積と類似した面積をもって、支持フィルム２３０と接着しているので、第２電極層２１６は、柔軟性電極として形成されなくてもよい。
【００７１】
一方、第１電極層２１４と第２電極層２１６とに電圧が印加されれば、電気応答型高分子層２１２と第１電極層２１４の広さが増大する。この時、支持体２１０は、電気応答型高分子層２１２の広さ増大領域を制限する。すなわち、電気応答型高分子層２１２に電圧が印加されて、電気応答型高分子層２１２の面積が増大すれば、電気応答型高分子層２１２は、支持体２１０の側壁と接し、その結果、フレキシブルディスプレイパネル１００の柔軟性が低下する。したがって、フレキシブルディスプレイ装置２０の使用の便宜性が向上する。
【００７２】
図６は、本発明のさらに他の実施形態によるフレキシブルディスプレイ装置を示す図面である。
【００７３】
図６を参照すれば、本発明のさらに他の実施形態によるフレキシブルディスプレイ装置３０は、フレキシブルディスプレイパネル１００、フレキシブルディスプレイパネル１００の下面上に形成された支持体２１０及びアクチュエータ２２０を備える。
【００７４】
フレキシブルディスプレイパネル１００、支持体２１０及びアクチュエータ２２０は、図１ないし図４Ｂで示して説明したところと同一であるので、詳細な説明は省略し、以下では、相違点のみを説明する。
【００７５】
図６は、ロール状に巻き取り可能なフレキシブルディスプレイ装置３０を示すところ、フレキシブルディスプレイパネル１００は、ロールフレーム２５０内に回転可能に配置される。
【００７６】
また、複数の支持体２１０は、フレキシブルディスプレイパネル１００の第１面上で、互いに並んでいるストライプパターンを形成し、アクチュエータ２２０は、複数の支持体２１０の間に位置することによって、アクチュエータ２２０への電圧の印加を通じて、フレキシブルディスプレイパネル１００の一方向の柔軟性を制御することができる。
【００７７】
一方、図６のフレキシブルディスプレイ装置３０においても、図５で示して説明した支持フィルムをさらに備え、アクチュエータ２２０と支持体２１０の断面は、図４Ａ及び図４Ｂまたは図５で示して説明したアクチュエータ２２０と支持体２１０の断面と同一の形状を有する。
【００７８】
本発明によるフレキシブルディスプレイ装置は、前述した実施形態の構成と方法に限定されて適用されるものではなく、前記実施形態は、多様な変形が行われるように、各実施形態の全部または一部が選択的に組み合わせられて構成されてもよい。
【００７９】
以上、本発明の望ましい実施形態について図示して説明したが、本発明は、前述した特定の実施形態に限定されず、特許請求の範囲で請求する本発明の要旨を逸脱しない範囲内で、当業者によって多様な変形実施が可能であることはいうまでもなく、かかる変形実施は、本発明の技術的思想や範囲から個別的に理解されてはならない。
【産業上の利用可能性】
【００８０】
本発明は、例えば、ディスプレイ装置関連の技術分野に適用可能である。
【符号の説明】
【００８１】
１０，２０，３０    フレキシブルディスプレイ装置
１００    フレキシブルディスプレイパネル
１０１    基板
１０２    絶縁層
１０３    ゲート絶縁膜
１０４    層間絶縁膜
１０５    パッシベーション膜
１０６    画素定義膜
１０７    活性層
１０８    ゲート電極
１０９    ソース／ドレイン電極
１１０    画素電極
１１１    有機発光膜
１１２    対向電極
２１０    支持体
２１２    電気応答型高分子層
２１４    第１電極層
２１６    第２電極層
２２０    アクチュエータ
２３０    支持フィルム
２４０    接着層
２５０    ロールフレーム
【図１】
2014016616.tif 000003
【図２】
2014016616.tif 000004
【図３】
2014016616.tif 000005
【図４Ａ】
2014016616.tif 000006
【図４Ｂ】
2014016616.tif 000007
【図５】
2014016616.tif 000008
【図６】
2014016616.tif 000009